(57)【特許請求の範囲】
【請求項１】
物干し枠体の複数箇所に設けた被吊下げ部と吊下げフックとに亘ってそれぞれ吊下げ連結体が設けられているとともに、前記物干し枠体を水平又はほぼ水平に維持したまま、吊下げフックが物干し枠体の中心上又はその近傍に位置する第１吊下げ位置とそれよりも横方向に偏位した第２吊下げ位置とに変更できるように、吊下げフックの第２吊下げ位置への変更に連れて連結長さが増大する側に位置する吊下げ連結体中に、被吊下げ部と吊下げフックとの間の吊下げ連結長さを変更する連結長さ変更手段が設けられている物干し器であって、
前記連結長さ変更手段が、吊下げ連結体中に組付けられた少なくとも二つの連結杆を、杆長方向の長孔に沿って伸縮自在、並びに、長孔に係合する連結ピン周りで相対揺動自在に連結すると共に、両連結杆の相対向する部位に、収縮状態にある両連結杆の連結ピン周りでの相対揺動操作によって係合及び係合離脱自在で、かつ、係合時に両連結杆を収縮重合姿勢に保持する係合部を設けて構成されている物干し器。
【請求項２】
前記両連結杆が伸展姿勢にあるときに連結ピンが位置する長孔の伸展操作位置の出入口相当箇所に、そこを通過する連結ピンに移動抵抗を付与する抵抗付与手段が設けられている請求項１記載の物干し器。
【請求項３】
前記両連結杆が収縮重合姿勢にあるときに連結ピンが位置する長孔の収縮操作位置の出入口相当箇所に、そこを通過する連結ピンに移動抵抗を付与する抵抗付与手段が設けられている請求項１又は２記載の物干し器。
【請求項４】
前記両連結杆の少なくとも一方には、収縮重合姿勢にある両連結杆を連結ピン周りで係合解除側に押出し操作するための押出し操作部が設けられている請求項１〜３のいずれか１項に記載の物干し器。
【請求項５】
前記物干し枠体には、吊下げフックが第２吊下げ位置にあるとき、固定部と物干し枠体の外面との間に空隙を形成する空隙形成手段が設けられている請求項１〜４のいずれか１項に記載の物干し器。
【請求項６】
前記空隙形成手段が、物干し枠体の複数箇所に内外方向に揺動操作可能に設けられた接当体から構成されているとともに、各接当体が、物干し枠体の外側枠部の幅内に重合位置する格納姿勢に切換え自在に構成されている請求項５に記載の物干し器。
【発明の詳細な説明】
【０００１】
【発明の属する技術分野】
本発明は、洗濯物等の干し物を脱着自在に吊下げ支持する物干し枠体と、吊下げ竿や鴨居等に掛止可能な吊下げフック、及び、物干し枠体の複数箇所に設けた被吊下げ部と吊下げフックとに亘って設けられる吊下げ連結体とからなる物干し器に関し、より詳しくは、前記物干し枠体を水平又はほぼ水平に維持したまま、吊下げフックが物干し枠体の中心上に位置する第１吊下げ位置とそれよりも横方向に偏位した第２吊下げ位置とに変更できるように構成してある物干し器に関する。
【０００２】
【従来の技術】
従来の物干し器では、矩形状の物干し枠体の短辺方向中央位置に設けた二つのリング状の被吊下げ部と、これに対向する状態で吊下げフックの基端部の円周方向二個所に形成した吊下げ係止部とに亘って、吊下げ連結体を構成する二本の第１チェーンを架設すると共に、物干し枠体の長辺方向中央位置に設けた二つのリング状の被吊下げ部と、これに対向する状態で吊下げフックの基端部に貫通形成された吊下げ挿通孔とに亘って、吊下げ連結体を構成する一本の第２チェーンを架設し、更に、前記吊下げフックの吊下げ挿通孔を、第１吊下げ位置と第２吊下げ位置において吊下げフックが位置ずれするのを防止するために、交差状に連なっている第２チェーンの一方のチェーンリングを通過させ、他方のチェーンリングを阻止することが可能な十字形状に形成していた（例えば、特開平１１−３３３１９６号公報参照）。
【０００３】
【発明が解決しようとする課題】
従来の物干し器では、吊下げフックを物干し竿に掛止する第１吊下げ位置から鴨居等に掛止する第２吊下げ位置に変更する場合、吊下げフックを片手で吊下げ支持したまま、物干し枠体等の荷重に抗して第２チェーンを持ち上げ、吊下げフックの基部に形成された十字形状の吊下げ挿通孔のうち、縦方向の孔部分に縦姿勢のチェーンリングを位置合わせして通過させ、次に、横方向の孔部分に横姿勢のチェーンリングを位置合わせして通過させるといった煩雑な操作手順を繰返す必要がある。
【０００４】
しかも、第２チェーンの移動操作途中においても、交差状態にある両チェーンリングが連結箇所の融通範囲内で自由に相対移動するため、後続のチェーンリングが吊下げ挿通孔の周縁に引っ掛り易く、その結果、吊下げフックの第２吊下げ位置又は第２吊下げ位置への変更作業に多くの手間を要していた。
【０００５】
特に、吊下げフックを鴨居に掛けるときは、屋外に乾していた干し物を降雨によって室内に取り込む必要が生じた場合が多く、この場合、多数の干し物の荷重に抗して第２チェーンを移動操作する必要があるため、吊下げフックの吊下げ位置変更作業により手間取り易い。
【０００６】
本発明は、上述の実状に鑑みて為されたものであって、その主たる課題は、第１吊下げ位置にある吊下げフックのずれ移動を確実に阻止しながらも、多数の干し物が吊下げられている条件下での第２吊下げ位置への変更作業を、簡単な操作で迅速に行なうことのできる物干し器を提供する点にある。
【０００７】
【課題を解決するための手段】
本発明の請求項１の特徴構成は、物干し枠体の複数箇所に設けた被吊下げ部と吊下げフックとに亘ってそれぞれ吊下げ連結体が設けられているとともに、前記物干し枠体を水平又はほぼ水平に維持したまま、吊下げフックが物干し枠体の中心上又はその近傍に位置する第１吊下げ位置とそれよりも横方向に偏位した第２吊下げ位置とに変更できるように、吊下げフックの第２吊下げ位置への変更に連れて連結長さが増大する側に位置する吊下げ連結体中に、被吊下げ部と吊下げフックとの間の吊下げ連結長さを変更する連結長さ変更手段が設けられている物干し器であって、
前記連結長さ変更手段が、吊下げ連結体中に組付けられた少なくとも二つの連結杆を、杆長方向の長孔に沿って伸縮自在、並びに、長孔に係合する連結ピン周りで相対揺動自在に連結すると共に、両連結杆の相対向する部位に、収縮状態にある両連結杆の連結ピン周りでの相対揺動操作によって係合及び係合離脱自在で、かつ、係合時に両連結杆を収縮重合姿勢に保持する係合部を設けて構成されている点にある。
【０００８】
上記特徴構成によれば、吊下げフックを物干し竿に掛止する通常の使用形態の場合には、連結長さ変更手段の係合部によって両連結杆が収縮重合姿勢に係止保持されていて、吊下げフックが物干し枠体の中心上又はその近傍に位置する第１吊下げ位置にあり、物干し枠体が水平又はほぼ水平姿勢に維持されている。
【０００９】
この時、前記係合部での係合離脱方向が、収縮状態にある両連結杆の連結ピン周りでの相対揺動方向であるから、物干し枠体及び干し物の荷重で係合部が係合離脱することはない。
【００１０】
また、吊下げフックを鴨居に掛止するべく、第１吊下げ位置にある吊下げフックを横方向に偏位した第２吊下げ位置に変更する場合には、吊下げフックの第２吊下げ位置への変更に連れて連結長さが増大する側に位置する各吊下げ連結体中に設けられた連結長さ変更手段を操作することにより、被吊下げ部と吊下げフックとの間の吊下げ連結長さを変更することができる。
【００１１】
この変更時、連結長さ変更手段の係合部によって収縮重合姿勢で係止保持されている両連結杆を、長孔に係合する連結ピン周りで相対揺動操作して、係合部から係合離脱させるだけで、物干し枠体及び干し物の荷重を受けている一方の連結杆が長孔に沿って伸展移動する。
【００１２】
従って、第１吊下げ位置にある吊下げフックのずれ移動を確実に阻止しながらも、多数の干し物が吊下げられている条件下での第２吊下げ位置への変更作業を、各吊下げ連結体中に組付けられた少なくとも二つの連結杆を相対揺動させるだけの簡単な操作で迅速に行なうことができる。
【００１３】
本発明の請求項２による物干し器の特徴構成は、前記両連結杆が伸展姿勢にあるときに連結ピンが位置する長孔の伸展操作位置での出入口相当箇所に、そこを通過する連結ピンに移動抵抗を付与する抵抗付与手段が設けられている点にある。
【００１４】
上記特徴構成によれば、前記収縮重合姿勢にある両連結杆を伸展姿勢に変更する場合、長孔に沿って移動操作される連結ピンが伸展操作位置の出入口相当箇所に到達したことを、抵抗付与手段によって付与される移動抵抗の増加によって感覚的に知ることができるとともに、長孔の伸展操作位置に移入した連結ピンが振動等でずれ移動することを抑制することができる。
【００１５】
本発明の請求項３による物干し器の特徴構成は、前記両連結杆が収縮重合姿勢にあるときに連結ピンが位置する長孔の収縮操作位置の出入口相当箇所に、そこを通過する連結ピンに移動抵抗を付与する抵抗付与手段が設けられている点にある。
【００１６】
上記特徴構成によれば、前記伸展姿勢にある両連結杆を収縮重合姿勢に変更する場合、長孔に沿って移動操作される連結ピンが収縮操作位置の出入口相当箇所に到達したことを、抵抗付与手段によって付与される移動抵抗の増加によって感覚的に知ることができるとともに、長孔の収縮操作位置に移入した連結ピンが振動等でずれ移動することを抑制することができるから、収縮状態にある両連結杆の連結ピン周りでの相対揺動による係合操作の確実化を図ることができる。
【００１７】
本発明の請求項４による物干し器の特徴構成は、前記両連結杆の少なくとも一方に、収縮重合姿勢にある両連結杆を連結ピン周りで係合解除側に押出し操作するための押出し操作部が設けられている点にある。
【００１８】
上記特徴構成によれば、連結長さ変更手段の係合部によって収縮重合姿勢で係止保持されている両連結杆を、長孔に係合する連結ピン周りで相対揺動操作して、係合部から係合離脱させる際、両連結杆の少なくとも一方に設けられた押出し操作部での押出し操作によって簡単に係合解除することができる。
【００１９】
本発明の請求項５による物干し器の特徴構成は、前記物干し枠体に、吊下げフックが第２吊下げ位置にあるとき、固定部と物干し枠体の外面との間に空隙を形成する空隙形成手段が設けられている点にある。
【００２０】
上記特徴構成によれば、物干し枠体の外周縁近くに吊下げられた干し物が壁等の固定部に接触することを抑制することができ、物干し枠体全体を活用することができる。
【００２１】
本発明の請求項６による物干し器の特徴構成は、前記空隙形成手段が、物干し枠体の複数箇所に内外方向に揺動操作可能に設けられた接当体から構成されているとともに、各接当体が、物干し枠体の外側枠部の幅内に重合位置する格納姿勢に切換え自在に構成されている点にある。
【００２２】
上記特徴構成によれば、吊下げフックが第２吊下げ位置にあるときには、物干し枠体の外方に突出する複数の接当体と固定部との接当によって、固定部と物干し枠体の外面との間に干し物の接触を抑制するための空隙を確実かつ安定的に形成しながらも、吊下げフックが第１吊下げ位置にあるときには、各接当体を、物干し枠体の外側枠部の幅内に重合位置する格納姿勢に切換えることができるから、各接当体が他物と接触することがない。
【００２３】
【発明の実施の形態】
〔第１実施形態〕
図１〜図７は、洗濯物等の干し物を脱着自在に吊下げ支持するための複数のピンチ１を備えた矩形状の物干し枠体Ａと、吊下げ竿や鴨居等に掛止可能な吊下げフックＢ、及び、物干し枠体Ａの複数箇所に設けた被吊下げ部５と吊下げフックＢとに亘って設けられる吊下げ連結体Ｃとからなる合成樹脂製の物干し器を示し、物干し枠体Ａを水平又はほぼ水平姿勢に維持したまま、吊下げフックＢが物干し枠体Ａの中心位置（重心位置）を通る鉛直線上又はそれの近傍に位置する第１吊下げ位置とそれよりも横方向に偏位した第２吊下げ位置とに変更できるように、吊下げフックＢの第２吊下げ位置への変更に連れて連結長さが増大する側に位置する各吊下げ連結体Ｃ中に、被吊下げ部５と吊下げフックＢとの間の吊下げ連結長さを変更する連結長さ変更手段Ｄが設けられている。
【００２４】
また、前記物干し枠体Ａの短辺側部分の外側面には、吊下げフックＢの吊下げ位置よりも低い位置で物干し竿に掛止可能な左右一対の補助吊下げフック３が、上方に突出する吊下げ姿勢と物干し枠体Ａの外側面に沿ってほぼ９０度倒伏させた格納姿勢とに水平軸芯周りで揺動切替え操作自在に枢着されているとともに、前記物干し枠体Ａには、吊下げフックＢが第２吊下げ状態にあるとき、壁面等の固定部Ｗと物干し枠体Ａの外側面との間に干し物接触抑制用の空隙Ｓを形成する空隙形成手段の一例である当り部４が設けられ、更に、第２吊下げ状態にある吊下げフックＢが、当り部４の突出代に相当する分だけ物干し枠体Ａの外側面を通る鉛直線Ｐよりも外方に位置するように構成されている。
【００２５】
前記物干し枠体Ａは、長辺方向の中央位置で二分割された左右一対の分割枠体２Ａ，２Ｂから構成され、更に、各分割枠体２Ａ，２Ｂは、平面視ほぼコの字状で、かつ、横断面形状が下向きコの状の外枠部２ａと、長辺方向にピンチ１の全長Ｌ２より大なる間隔Ｌ１を隔てて配置される横断面形状が下向きコの状の複数本（当該実施形態では３本）の横枠部２ｂ、並びに、横枠部２ｂ同士及び横枠部２ｂと外枠部２ａとを繋ぐ状態で短辺方向の両側近くに長辺方向に沿って配置される横断面形状が下向きコの状の複数本（当該実施形態では６本）の縦補強枠部２ｃとを合成樹脂にて一体成形して構成されている。
【００２６】
また、前記両分割枠体２Ａ，２Ｂの中央側端部同士を、物干し枠体Ａの短辺方向に沿う水平な折畳み軸芯Ｘ周りで揺動自在に嵌合連結することにより、両分割枠体２Ａ，２Ｂが面一状態で水平方向に沿って一直線状に展開した吊下げ姿勢と、両分割枠体２Ａ，２Ｂの下面同士が接当又は近接する状態にまで折畳み軸芯Ｘ周りで折り曲げた折畳み姿勢とに切換え操作自在に構成されている。
【００２７】
前記各分割枠体２Ａ，２Ｂの内部空間は、図７に示すように、格子状に配設された複数の横枠部２ｂ及び複数の縦補強枠部２ｃにより、一つ又は複数のピンチ１が物干し枠体Ａの長辺方向に沿った同じ向き姿勢で入込み可能な複数の空隙２ｅに区画形成され、特に、折畳み軸芯Ｘが通る中央の空隙２ｅは、物干し枠体Ａの長辺方向に沿って二個のピンチ１が入込み可能な大きさに構成されているとともに、前記各外枠部２ａの両角部の内側面には、前記被吊下げ部５を構成する係止リングが一体形成されている。
【００２８】
前記両分割枠体２Ａ，２Ｂの各横枠部２ｂの複数箇所、及び、各外枠部２ａの短辺側部分の複数箇所の各々には、ピンチ１のＣ形状の挾持バネ１ａを揺動自在に支持する合成樹脂製のピンチ吊下げ部材６が、物干し枠体Ａの長辺方向にのみ揺動可能な状態で嵌合取付け部材７を介して物干し枠体Ａの上面側から装着されているとともに、前記各横枠部２ｂの折畳み軸芯Ｘ側に位置する側壁部分、及び、各外枠部２ａの短辺側部分における折畳み軸芯Ｘ側に位置する側壁部分には、図４、図７に示すように、吊下げフックＢが下方に位置する反転姿勢での両分割枠体２Ａ，２Ｂの折畳み姿勢への切替え操作に連れて、各分割枠体２Ａ，２Ｂに装着された各ピンチ１が同一の折畳み軸芯Ｘ側に揺動しながら分割枠体２Ａ，２Ｂ内の各空隙S 内に入り込むべく、各分割枠体２Ａ，２Ｂの各ピンチ吊下げ部材６の折畳み軸芯Ｘ側への倒れ込み揺動をほぼ９０度の範囲で許容するスリット状の切込み２ｄが形成されている。
【００２９】
そのため、吊下げフックＢが下方に位置する逆さ姿勢での両分割枠体２Ａ，２Ｂの折畳み姿勢への切替え操作に連れて、それらに装備された複数のピンチ１が分割枠体２Ａ，２Ｂの各空隙Ｓ内にスムースに入り込むから、ピンチ１が両分割枠体２Ａ，２Ｂ間に挟み込まれることが無く、物干し枠体Ａをコンパクトに折り畳むことができる。
【００３０】
前記吊下げフックＢは、物干し竿に掛止可能な主フック部１０と、該主フック部１０とは掛止方向が逆向きとなる鴨居等に掛止可能な副フック部１１と、主フック部１０の開口を閉止可能な脱落防止用の閉止体１２と、主フック部１０の下端部に連設されるグリップ部１３とから構成されているとともに、前記グリップ部１３の上部には、吊下げ連結体Ｃに対する左右一対の係止部１４を備えた縦軸芯周りで相対回転自在な吊下げ回転リング１５と、閉止体１２を閉じ側への弾性付勢力に抗して開き操作する操作レバー１６とが設けられている。
【００３１】
また、前記閉止体１２には、主フック部１０を把持した手指で開閉操作可能な操作レバー部１７が一体形成されているとともに、前記副フック部１１が、主フック部１０に枢着するための枢支ピン１８の軸芯周りでの揺動操作により、横外方に突出する掛止姿勢とそれの先端が主フック部１０の背面に接当又は近接する格納姿勢とに揺動切替え自在に構成されている。
【００３２】
前記吊下げフックＢの第２吊下げ位置への変更操作に連れて連結長さが増大する側に位置する両吊下げ連結体Ｃの各々は、吊下げフックＢの係止部１４に係合連結されたＳ字状の第１連結リング２０と、第１連結リング２０に係合連結される第１連結杆２１と、第１連結杆２１に重合状態で伸縮自在に連結される第２連結杆２２と、第２連結杆２２に係合連結されたＳ字状の第２連結リング２３と、第２連結リング２３に係合連結される第３連結杆２４と、第３連結杆２４と物干し枠体Ａの係止リング５とを係合連結するＳ字状の第３連結リング２５とから構成されている。
【００３３】
前記吊下げフックＢの吊下げ位置変更操作に関係なく一定の連結長さに維持される側に位置する両吊下げ連結体Ｃの各々は、重合状態で伸縮自在に連結された第１連結杆２１及び第２連結杆２２に代えて、一定長さの単一の第４連結杆２６を用いたもので、他の構成は同一である。
【００３４】
前記連結長さ変更手段Ｄは、各吊下げ連結体Ｃ中に組付けられた二つの第１連結杆２１及び第２連結杆２２を、第１連結杆２１に形成された杆長方向の長孔２１ａに沿って伸縮自在、並びに、長孔２１ａに係合する状態で第２連結杆２２の一端部に固着された連結ピン２２ａ周りで相対揺動自在に連結すると共に、両連結杆２１，２２の相対向する部位に、収縮状態にある両連結杆２１，２２の連結ピン２２ａ周りでの相対揺動操作によって係合及び係合離脱自在で、かつ、係合時に両連結杆２１，２２を収縮重合姿勢に保持する係合部２７を設けて構成されている。
【００３５】
そして、吊下げフックＢを物干し竿に掛止する通常の使用形態の場合には、連結長さ変更手段Ｄの係合部２７によって両連結杆２１，２２が収縮重合姿勢に係止保持されていて、吊下げフックＢが物干し枠体Ａの中心位置（重心位置）を通る鉛直線上又はそれの近傍に位置する第１吊下げ位置にあり、物干し枠体Ａが水平又はほぼ水平姿勢に維持されている。
この時、前記係合部２７での係合離脱方向が、収縮状態にある両連結杆２１，２２の連結ピン２２ａ周りでの相対揺動方向であるから、物干し枠体Ａ及び干し物の荷重で係合部２７が係合離脱することはない。
【００３６】
また、吊下げフックＢの副フック部１１を鴨居に掛止するべく、第１吊下げ位置にある吊下げフックＢを横方向に偏位した第２吊下げ位置に変更する場合には、吊下げフックＢの第２吊下げ位置への変更に連れて連結長さが増大する側に位置する各吊下げ連結体Ｃ中に設けられた連結長さ変更手段Ｄを操作することにより、掛止リング５と吊下げフックＢとの間の吊下げ連結長さを変更することができる。
この変更時、連結長さ変更手段Ｄの係合部２７によって収縮重合姿勢で係止保持されている両連結杆２１，２２を、長孔２１ａに係合する連結ピン２２ａ周りで相対揺動操作して、係合部２７から係合離脱させるだけで、物干し枠体Ａ及び干し物の荷重を受けている一方の第２連結杆２２が長孔２１ａに沿って伸展移動する。
【００３７】
前記係合部２７は、図８に示すように、第２連結杆２２の他端部に一体成形された係合ピン２７a と、収縮状態にある両連結杆２１，２２の連結ピン２２ａ周りでの相対揺動操作により、係合ピン２７a に対して係合及び係合離脱自在に形成された第１連結杆２１側の係合穴２７ｂとから構成されているとともに、前記係合穴２７ｂの出入口相当箇所には、そこを通過する係合ピン２７a に移動抵抗を付与する第１抵抗付与手段２８の一例で、係合ピン２７a の外径よりも少し小なる通路幅に形成する絞り部が形成されている。
【００３８】
前記第１連結杆２１及び第２連結杆２２が伸展姿勢にあるときに連結ピン２２ａが位置する長孔２１ａの伸展操作位置Ｐ１の出入口相当箇所には、そこを通過する連結ピン２２ａに移動抵抗を付与する第２抵抗付与手段２９の一例で、連結ピン２２ａの外径よりも少し小なる通路幅に形成する絞り部が設けられているとともに、前記両連結杆２１，２２が収縮重合姿勢にあるときに連結ピン２２ａが位置する長孔２１ａの収縮操作位置Ｐ２の出入口相当箇所には、そこを通過する連結ピン２２ａに移動抵抗を付与する第３抵抗付与手段３０の一例で、連結ピン２２ａの外径よりも少し小なる通路幅に形成する絞り部が設けられている。
【００３９】
前記接当部４は、物干し枠体Ａの外枠部２ａのうち、吊下げフックＢの第２吊下げ状態への偏位側となる一方の長辺側枠部分の複数個所（当該実施形態では二個所）に上下軸芯周りで内外方向に揺動操作可能に枢着された合成樹脂製の接当体から構成されているとともに、各接当体４は、上下軸芯周りの任意の位置で摩擦保持可能で、かつ、物干し枠体Ａの外側枠部の幅内に重合位置する格納姿勢に切換え操作自在に構成されている。
【００４０】
〔第２実施形態〕
上述の第１実施形態では、前記第１連結杆２１と第２連結杆２２とを同一の輪郭形状に形成したが、図９に示すように、前記両連結杆２１，２２の各々に、収縮重合姿勢にある両連結杆２１，２２を連結ピン２２ａ周りで係合解除側に押出し操作するための押出し操作部３２を一体形成して実施してもよい。
尚、その他の構成は、第１実施形態で説明した構成と同一であるから、同一の構成箇所には、第１実施形態と同一の番号を付記してそれの説明は省略する。
【００４１】
また、当該第２実施形態では、前記押出し操作部３２を両連結杆２１，２２の各々に形成したが、この押出し操作部３２は両連結杆２１，２２の少なくとも一方に設けられていればよい。
【００４２】
〔その他の実施形態〕
（１）  上述の第１実施形態では、前記吊下げ連結体Ｃ中に組付けられた二つの連結杆２１，２２を、杆長方向の長孔２１ａに沿って伸縮自在、並びに、長孔２１ａに係合する連結ピン２２ａ周りで相対揺動自在に連結したが、前記吊下げ連結体Ｃ中に組付けられた三つ以上の連結杆２１，２２を、杆長方向の長孔２１ａに沿って伸縮自在、並びに、長孔２１ａに係合する連結ピン２２ａ周りで相対揺動自在に連結して実施してもよい。
【００４３】
（２）  前記両連結杆２１，２２の相対向する部位に設けられる係合部２７としては、収縮状態にある両連結杆２１，２２の連結ピン２２ａ周りでの相対揺動操作によって係合及び係合離脱自在で、かつ、係合時に両連結杆２１，２２を収縮重合姿勢に保持することのできるものであれば、如何なる構造に構成してもよい。
【００４４】
（３）  前記吊下げ連結体Ｃとしては、物干し枠体Ａの複数箇所に設けた被吊下げ部５と吊下げフックＢとを繋ぐことができ、かつ、その少なくとも一部に連結長さ変更手段Ｄを構成することのできるものであれば、如何なる構造のものを用いてもよい。
【００４５】
（４）  上述の第１実施形態では、前記第１抵抗付与手段２８として、前記係合穴２７ｂの出入口相当箇所に、そこを通過する係合ピン２７a の外径よりも少し小なる通路幅に形成する絞り部を形成したが、これの代わりに、前記係合穴２７ｂの出入口相当箇所を通過する係合ピン２７a に接触して移動抵抗を付与する板バネ等の弾性体を設けて実施してもよい。
【００４６】
（５）  上述の第１実施形態では、第２抵抗付与手段２９及び第３抵抗付与手段３０として、長孔２１ａの伸展操作位置Ｐ１及び収縮操作位置Ｐ２の出入口相当箇所に、連結ピン２２ａの外径よりも少し小なる通路幅に形成する絞り部を形成したが、これに代えて、長孔２１ａの伸展操作位置Ｐ１及び収縮操作位置Ｐ２の出入口相当箇所を通過する連結ピン２２ａに接触して移動抵抗を付与する板バネ等の弾性体を設けて実施してもよい。
【００４７】
（６）  上述の第１実施形態では、物干し枠体Ａに、洗濯物等の干し物を脱着自在に吊下げ支持するための複数のピンチ１を設けたが、ピンチ１を設ける代わりに、干し物を逆Ｕの字状に掛け吊り可能な複数本の掛け吊り杆を物干し枠体Ａに設けて実施してもよい。
【００４８】
（７）  上述の第１実施形態では、吊下げフックＢに、物干し竿に掛止可能な主フック部１０と、該主フック部１０とは掛止方向が逆向きとなる鴨居等に掛止可能な副フック部１１とを装備して構成したが、一つのフック部を設けて、物干し竿と鴨居とに選択的に掛止可能に構成してもよい。
【図面の簡単な説明】
【図１】本願発明の物干し器の第１実施形態を示す全体の正面図
【図２】全体の側面図
【図３】全体の平面図
【図４】全体の底面図
【図５】吊下げフックを第２吊下げ位置に変更したときの平面図
【図６】吊下げフックを第２吊下げ位置に変更したときの側面図
【図７】ピンチの格納状態を示す要部の断面図
【図８】連結長さ変更手段を構成する両連結杆の分解斜視図
【図９】本願発明の物干し器の第２実施形態を示す連結長さ変更手段の斜視図
【符号の説明】
Ａ      物干し枠体
Ｂ      吊下げフック
Ｃ      吊下げ連結体
Ｄ      連結長さ変更手段
Ｓ      干し物接触抑制用空隙
Ｗ      固定部
４      空隙形成手段（当り部）
５      被吊下げ部（係止リング）
２１    連結杆（第１連結杆）
２１ａ  長孔
２２    連結杆（第２連結杆）
２２ａ  連結ピン
２７    係合部
２９    抵抗付与手段（絞り部）
３０    抵抗付与手段（絞り部）
３２    押出し操作部
【図１】
0004580125.tif 000002
【図２】
0004580125.tif 000003
【図３】
0004580125.tif 000004
【図４】
0004580125.tif 000005
【図５】
0004580125.tif 000006
【図６】
0004580125.tif 000007
【図７】
0004580125.tif 000008
【図８】
0004580125.tif 000009
【図９】
0004580125.tif 000010